【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
電源（９０）と負荷（９１，９３）との間の電力ライン（１３）に接続される漏電遮断機（１５）と、
通常はオフしていて、オンすることで前記漏電遮断機（１５）に漏電を検出させる制御スイッチ（２５）を有する異常遮断回路（２０，２０Ａ〜２０Ｇ）と、
漏電以外の異常を検出するためのセンサ（３１）の検出結果を受け、その検出結果が異常である場合に前記制御スイッチ（２５）をオンする制御部（３０）と、を備える安全回路（１０，１０Ａ〜１０Ｇ）において、
前記電力ライン（１３）の通電の有無を検出する電流検出コイル（３４）と、
前記制御部（３０）の電源である電池（３２）と、を備え、
前記制御部（３０）は、通常はスリープ状態になっていて、前記電流検出コイル（３４）の検出結果に基づき、前記電力ライン（１３）が通電状態になると前記スリープ状態から脱し、前記電力ライン（１３）が非通電状態になると前記スリープ状態に戻る安全回路（１０，１０Ａ〜１０Ｇ）。
【請求項２】
前記制御部（３０）は、メモリ（３０Ｂ）を有して動作履歴を前記メモリ（３０Ｂ）に書き込む請求項１に記載の安全回路（１０，１０Ａ〜１０Ｇ）。
【請求項３】
前記電源（９０）は、スター結線された三相の出力回路（９０Ａ，９０Ｂ，９０Ｃ）を有する三相交流電源（９０）であり、
前記異常遮断回路（２０）は、前記三相の何れか１つの出力回路（９０Ａ）に接続される前記電力ライン（１３Ａ）のうち前記漏電遮断機（１５）の零相変流器（６８）より前記負荷（９１，９３）側部分と、前記三相の出力回路（９０Ａ，９０Ｂ，９０Ｃ）の前記スター結線における共通接続部分との間に、前記制御スイッチ（２５）と第１及び第２の抵抗（２１，２２）と前記電力ライン（１３Ａ）側がアノードとなったダイオード（２６）とを直列接続して備えかつ、前記第２の抵抗（２２）の両端末間を連絡するコンデンサ（２３）を備える請求項１又は２に記載の安全回路（１０）。
【請求項４】
前記異常遮断回路（２０Ｃ，２０Ｇ）は、前記漏電遮断機（１５）のうち零相変流器（６８）を貫通するライン（６３Ｄ）の両端部の間に前記制御スイッチ（２５）と第１の抵抗（２１）と制御用電源（２９）とを直列接続して備える請求項１又は２に記載の安全回路（１０Ｃ，１０Ｇ）。
【請求項５】
前記漏電遮断機（１５）には、零相変流器（６８）を貫通しかつ両端に端子台を有する複数の内部ラインが備えられ、
それら複数の内部ラインのうちの一部複数の内部ラインの両端の端子台に、前記電力ライン（１３）を介して前記電源（９０）と前記負荷（９１，９３）とが接続され、
前記異常遮断回路（２０Ｃ，２０Ｇ）は、前記複数の内部ラインのうち前記電源（９０）及び前記負荷（９１，９３）に接続されない空きの前記内部ラインの両端の端子台の間に、前記制御スイッチ（２５）と第１の抵抗（２１）と制御用電源（２９）とを直列接続して備える請求項１又は２に記載の安全回路（１０Ｃ，１０Ｇ）。
【請求項６】
前記異常遮断回路（２０Ｅ）は、前記漏電遮断機（１５）が漏電に対して正常に作動するか否かを確認するために前記漏電遮断機（１５）に備えられた動作確認スイッチの両端末間を連絡するように接続されている請求項１又は２に記載の安全回路（１０Ｅ）。
【請求項７】
請求項１乃至６の何れか１の請求項に記載の安全回路（１０，１０Ａ〜１０Ｇ）を有し、前記電源（９０）と前記負荷（９１，９３）との間を接続すると共に、前記安全回路（１０，１０Ａ〜１０Ｇ）の前記漏電遮断機（１５）が途中に接続されている充電ケーブル（５０，５０Ａ〜５０Ｇ）。
【請求項８】
前記負荷（９１，９３）に接続されるコネクタ（８０Ａ）を端部に有し、
前記コネクタ（８０Ａ）には、温度を検出する温度センサ（３１）が前記センサ（３１）として備えられている請求項７に記載の充電ケーブル（５０，５０Ａ〜５０Ｇ）。
【請求項９】
前記負荷（９１，９３）に接続されるコネクタ（８０Ａ）を端部に有し、
前記コネクタ（８０Ａ）には、相手側のコネクタに対する正規の位置に嵌合されているか否かを検出するためのコネクタ接続センサが前記センサとして備えられている請求項７又は８に記載の充電ケーブル（５０，５０Ａ〜５０Ｇ）。
【手続補正２】
【補正対象書類名】明細書
【補正対象項目名】０００５
【補正方法】変更
【補正の内容】
【０００５】
上記課題を解決するためになされた請求項１の発明は、電源（９０）と負荷（９１，９３）との間の電力ライン（１３）に接続される漏電遮断機（１５）と、通常はオフしていて、オンすることで前記漏電遮断機（１５）に漏電を検出させる制御スイッチ（２５）を有する異常遮断回路（２０，２０Ａ〜２０Ｇ）と、漏電以外の異常を検出するためのセンサ（３１）の検出結果を受け、その検出結果が異常である場合に前記制御スイッチ（２５）をオンする制御部（３０）と、を備える安全回路（１０，１０Ａ〜１０Ｇ）において、前記電力ライン（１３）の通電の有無を検出する電流検出コイル（３４）と、前記制御部（３０）の電源である電池（３２）と、を備え、前記制御部（３０）は、通常はスリープ状態になっていて、前記電流検出コイル（３４）の検出結果に基づき、前記電力ライン（１３）が通電状態になると前記スリープ状態から脱し、前記電力ライン（１３）が非通電状態になると前記スリープ状態に戻る安全回路（１０，１０Ａ〜１０Ｇ）である。
【手続補正３】
【補正対象書類名】明細書
【補正対象項目名】０００６
【補正方法】変更
【補正の内容】
【０００６】
請求項２の発明は、前記制御部（３０）は、メモリ（３０Ｂ）を有して動作履歴を前記メモリ（３０Ｂ）に書き込む請求項１に記載の安全回路（１０，１０Ａ〜１０Ｇ）である。
【手続補正４】
【補正対象書類名】明細書
【補正対象項目名】０００７
【補正方法】変更
【補正の内容】
【０００７】
請求項３の発明は、前記電源（９０）は、スター結線された三相の出力回路（９０Ａ，９０Ｂ，９０Ｃ）を有する三相交流電源（９０）であり、前記異常遮断回路（２０）は、前記三相の何れか１つの出力回路（９０Ａ）に接続される前記電力ライン（１３Ａ）のうち前記漏電遮断機（１５）の零相変流器（６８）より前記負荷（９１，９３）側部分と、前記三相の出力回路（９０Ａ，９０Ｂ，９０Ｃ）の前記スター結線における共通接続部分との間に、前記制御スイッチ（２５）と第１及び第２の抵抗（２１，２２）と前記電力ライン（１３Ａ）側がアノードとなったダイオード（２６）とを直列接続して備えかつ、前記第２の抵抗（２２）の両端末間を連絡するコンデンサ（２３）を備える請求項１又は２に記載の安全回路（１０）である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項４の発明は、前記異常遮断回路（２０Ｃ，２０Ｇ）は、前記漏電遮断機（１５）のうち零相変流器（６８）を貫通するライン（６３Ｄ）の両端部の間に前記制御スイッチ（２５）と第１の抵抗（２１）と制御用電源（２９）とを直列接続して備える請求項１又は２に記載の安全回路（１０Ｃ，１０Ｇ）である。
【手続補正８】
【補正対象書類名】明細書
【補正対象項目名】００１１
【補正方法】変更
【補正の内容】
【００１１】
請求項５の発明は、前記漏電遮断機（１５）には、零相変流器（６８）を貫通しかつ両端に端子台を有する複数の内部ラインが備えられ、それら複数の内部ラインのうちの一部複数の内部ラインの両端の端子台に、前記電力ライン（１３）を介して前記電源（９０）と前記負荷（９１，９３）とが接続され、前記異常遮断回路（２０Ｃ，２０Ｇ）は、前記複数の内部ラインのうち前記電源（９０）及び前記負荷（９１，９３）に接続されない空きの前記内部ラインの両端の端子台の間に、前記制御スイッチ（２５）と第１の抵抗（２１）と制御用電源（２９）とを直列接続して備える請求項１又は２に記載の安全回路（１０Ｃ，１０Ｇ）である。
【手続補正９】
【補正対象書類名】明細書
【補正対象項目名】００１２
【補正方法】変更
【補正の内容】
【００１２】
請求項６の発明は、前記異常遮断回路（２０Ｅ）は、前記漏電遮断機（１５）が漏電に対して正常に作動するか否かを確認するために前記漏電遮断機（１５）に備えられた動作確認スイッチの両端末間を連絡するように接続されている請求項１又は２に記載の安全回路（１０Ｅ）である。
【手続補正１０】
【補正対象書類名】明細書
【補正対象項目名】００１３
【補正方法】変更
【補正の内容】
【００１３】
請求項７の発明は、請求項１乃至６の何れか１に記載の安全回路（１０，１０Ａ〜１０Ｇ）を有し、前記電源（９０）と前記負荷（９１，９３）との間を接続すると共に、前記安全回路（１０，１０Ａ〜１０Ｇ）の前記漏電遮断機（１５）が途中に接続されている充電ケーブル（５０，５０Ａ〜５０Ｇ）である。
【手続補正１１】
【補正対象書類名】明細書
【補正対象項目名】００１４
【補正方法】変更
【補正の内容】
【００１４】
請求項８の発明は、前記負荷（９１，９３）に接続されるコネクタ（８０Ａ）を端部に有し、前記コネクタ（８０Ａ）には、温度を検出する温度センサ（３１）が前記センサ（３１）として備えられている請求項７に記載の充電ケーブル（５０，５０Ａ〜５０Ｇ）である。また、請求項９の発明は、前記負荷（９１，９３）に接続されるコネクタ（８０Ａ）を端部に有し、前記コネクタ（８０Ａ）には、相手側のコネクタに対する正規の位置に嵌合されているか否かを検出するためのコネクタ接続センサが前記センサとして備えられている請求項７又は８に記載の充電ケーブル（５０，５０Ａ〜５０Ｇ）である。
【手続補正１２】
【補正対象書類名】明細書
【補正対象項目名】００１６
【補正方法】変更
【補正の内容】
【００１６】
請求項３の安全回路（１０）では、制御スイッチ（２５）をオンしたときにコンデンサ（２３）に電荷が取り込まれて異常遮断回路（２０）に電流が流れ易くなり、漏電以外の異常の発生時に迅速に漏電を発生させて漏電遮断機（１５）を作動させることができる。
【手続補正１３】
【補正対象書類名】明細書
【補正対象項目名】００１７
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
請求項７〜９の充電ケーブル（１９）では、漏電とそれ以外の異常とに漏電遮断機（１５）が兼用され、しかも漏電以外の異常を漏電遮断機（１５）に漏電として検出させるので、安全回路（１０）の回路が簡素になる。